(57)【要約】【課題】新規フッ素置換ベンジルアルコールエステル化合物を含む薬液に適用しても優れた蒸散性能と殺虫効力を奏し、しかも吸液芯が折れにくい構成の加熱蒸散装置の提供。【課題の解決手段】殺虫成分として、一般式（Ｉ）【化１】  2005095107.tif 000008（式中、Ｘ及びＹは同一又は相異なって水素原子、メチル基、ハロゲン原子又はトリフルオロメチル基を表し、Ｚは水素原子、メチル基又はメトキシメチル基を表す）で表されるフッ素置換ベンジルアルコールエステル化合物から選ばれた１種又は２種を含む薬液が収容された薬液容器、該薬液を吸液する吸液芯、及び該吸液芯を加熱して薬液を蒸散させる発熱体を備え、前記発熱体を構成する中空筒状の放熱筒体内壁の高さを８〜１２ｍｍ、かつ表面部の温度を１２０〜１５０℃とし、しかもこの放熱筒体内壁に対向して位置する前記吸液芯の受熱部先端上方の中空筒状部分の体積が３００ｍｍ3〜８００ｍｍ3になるようにした加熱蒸散装置。【選択図】図１
2005095107.tif 000002
【特許請求の範囲】
【請求項１】
殺虫成分として、一般式（Ｉ）
【化１】
2005095107.tif 000007
（式中、Ｘ及びＹは同一又は相異なって水素原子、メチル基、ハロゲン原子又はトリフルオロメチル基を表し、Ｚは水素原子、メチル基又はメトキシメチル基を表す）で表されるフッ素置換ベンジルアルコールエステル化合物から選ばれた１種又は２種を含む薬液が収容された薬液容器、該薬液を吸液する吸液芯、及び該吸液芯を加熱して薬液を蒸散させる発熱体を備え、前記発熱体を構成する中空筒状の放熱筒体内壁の高さを８〜１２ｍｍ、かつ表面部の温度を１２０〜１５０℃とし、しかもこの放熱筒体内壁に対向して位置する前記吸液芯の受熱部先端上方の中空筒状部分の体積が３００ｍｍ3〜８００ｍｍ3になるようにしたことを特徴とする加熱蒸散装置。
【請求項２】
薬液が、殺虫成分を０．２〜２．０重量％、１００〜１８０℃の加熱温度で蒸散する界面活性剤を１０〜８０重量％、及び水を１８〜８８重量％含有する水性薬液であることを特徴とする請求項１に記載の加熱蒸散装置。
【請求項３】
薬液が、殺虫成分を０．２〜２．０重量％、及び沸点温度（９５重量％留出温度）範囲が２４０〜３００℃の灯油を９７重量％以上含有する油性薬液であることを特徴とする請求項１に記載の加熱蒸散装置。
【請求項４】
吸液芯の受熱部と、発熱体の放熱筒体内壁との間隙が、１．２〜１．７ｍｍであることを特徴とする請求項１ないし３のいずれかに記載の加熱蒸散装置。
【発明の詳細な説明】
【技術分野】
【０００１】
本発明は、薬液を吸液芯を用いて加熱蒸散させる加熱蒸散装置の改良に関するものである。
【背景技術】
【０００２】
従来より、蚊成虫の駆除を目的として薬剤を加熱蒸散させる方式としては、いわゆる蚊取り線香や電気蚊取りマットのほか、液体式電気蚊取り（リキッド）が使用されている。この方式は、一回毎にマットを交換する必要がないことや、一旦セットすれば長期間効果が持続するなどの利点を有し、特にマンションなどの密閉性の高い家屋で需要が大きい。リキッドは、製剤化に用いる溶剤が有機溶剤か水であるかによって油性リキッドもしくは水性リキッドに区別されているが、近年、火気に対する安全性や環境に対する配慮から水性リキッドが増えつつある。そして、その殺虫成分としては、電気蚊取りマットと同様、長年にわたりフラメトリン、アレスリン及びプラレトリンが主流を占めてきた。
最近、新しいピレスロイド系殺虫成分としてトランスフルトリンやメトフルトリンが導入され、リキッドへの適用も検討されている。しかしながら、トランスフルトリンやメトフルトリンは、従来のフラメトリン、アレスリン及びプラレトリンに比べて蒸気圧が高く、また物性も非常に異なるため、そのままの薬液処方や吸液芯の仕様を従来のリキッド用加熱蒸散装置に適用しても、初期の殺虫成分蒸散量が過大となり殺虫効力の持続性が不足するという問題が存する。これを解決する手段としては、1）“薬液処方の改良”、2）“吸液芯仕様の変更”、3）“発熱体温度の低温下”が考えられるが、従来器具が既に市場に行き渡っているので、3）“発熱体温度の低温下”は採用できない。
【０００３】
上記1）“薬液処方の改良”の一環として、高沸点溶剤を配合する提案がある。例えば、特開２００３−８１７２０号公報には、メトフルトリンとチオテック（パラフィンとナフテン系炭化水素の略６：４混合物）から調製された加熱蒸散用害虫防除液が記載されているが、この方法は当然のことながら、水性リキッドには適用できず、油性リキッドに限定される。
一方、2）“吸液芯仕様の変更”の観点では、例えば、実用新案登録公報第２５５４７１１号に、放熱筒体内壁に対向する吸液芯の受熱部の長さを放熱筒体内壁の高さの０．３〜０．８倍とすることによって、殺虫成分蒸散量を低くできうることが開示されている。しかしながら、該公報に記載の技術は、明細書で説明されているようにｄ−Ｔ８０−フラメトリンとｄ，ｄ−Ｔ８０−プラレトリンに特定されるものであり、本発明で用いられる殺虫成分、即ち一般式（Ｉ）で表されるフッ素置換ベンジルアルコールエステル化合物とは上述のとおり物性が異なり、そのまま適用できない。更に、従来の粘結型吸液芯についていえば、その上面が放熱筒体の上面と同等もしくは若干高めに位置するように設計し、吸液芯の粗密により蒸散量を調整しているのが一般的である。このため、薬液容器のキャップを取り外す際や薬液容器を発熱体に装着する際に、吸液芯がキャップや放熱筒体に触れて折れやすいという問題点を残している。
【特許文献１】特開２００３−８１７２０号公報
【特許文献２】実用新案登録公報第２５５４７１１号
【発明の開示】
【発明が解決しようとする課題】
【０００４】
本発明は、薬液処方や発熱体温度を変更することなく、吸液芯の仕様や発熱体との位置関係を特定することによって、一般式（Ｉ）で表されるフッ素置換ベンジルアルコールエステル化合物を含む薬液に適用しても優れた蒸散性能と殺虫効力を奏し、しかも吸液芯が折れにくい構成の加熱蒸散装置を提供することを目的とする。
【課題を解決するための手段】
【０００５】
本発明は、上記課題を解決するため、次のような構成を採用する。
（１）殺虫成分として、一般式（Ｉ）
【化１】
2005095107.tif 000003
（式中、Ｘ及びＹは同一又は相異なって水素原子、メチル基、ハロゲン原子又はトリフルオロメチル基を表し、Ｚは水素原子、メチル基又はメトキシメチル基を表す）で表されるフッ素置換ベンジルアルコールエステル化合物から選ばれた１種又は２種を含む薬液が収容された薬液容器、該薬液を吸液する吸液芯、及び該吸液芯を加熱して薬液を蒸散させる発熱体を備え、前記発熱体を構成する中空筒状の放熱筒体内壁の高さを８〜１２ｍｍ、かつ表面部の温度を１２０〜１５０℃とし、しかもこの放熱筒体内壁に対向して位置する前記吸液芯の受熱部先端上方の中空筒状部分の体積が３００ｍｍ3〜８００ｍｍ3になるようにした加熱蒸散装置。
（２）薬液が、殺虫成分を０．２〜２．０重量％、１００〜１８０℃の加熱温度で蒸散する界面活性剤を１０〜８０重量％、及び水を１８〜８８重量％含有する水性薬液である（１）に記載の加熱蒸散装置。
（３）薬液が、殺虫成分を０．２〜２．０重量％、及び沸点温度（９５重量％留出温度）範囲が２４０〜３００℃の灯油を９７重量％以上含有する油性薬液である（１）に記載の加熱蒸散装置。
（４）吸液芯の受熱部と、発熱体の放熱筒体内壁との間隙が、１．２〜１．７ｍｍである（１）ないし（３）のいずれかに記載の加熱蒸散装置。
【発明の効果】
【０００６】
本発明の加熱蒸散装置は、殺虫成分として、従来のピレスロイド化合物に比べて蒸気圧が高くしかも高活性な一般式（Ｉ）で表されるフッ素置換ベンジルアルコールエステル化合物を使用し、優れた蒸散性能と殺虫効力を奏するとともに、吸液芯が折れにくい構成を提供するので、その実用性は極めて高い。
【発明を実施するための最良の形態】
【０００７】
本発明で用いられる殺虫成分は、一般式（Ｉ）
【化２】
2005095107.tif 000004
（式中、Ｘ及びＹは同一又は相異なって水素原子、メチル基、ハロゲン原子又はトリフルオロメチル基を表し、Ｚは水素原子、メチル基又はメトキシメチル基を表す）で表されるフッ素置換ベンジルアルコールエステル化合物から選ばれた１種又は２種であり、従来のフラメトリン、アレスリン及びプラレトリンに比べて蒸気圧が高く、蚊、ハエ、ゴキブリなどの害虫に対する基礎殺虫効力も優れている。
いずれの殺虫成分にも、酸成分の不斉炭素に基づく光学異性体や幾何異性体が存在するが、それらの各々や任意の混合物も本発明に包含されることはもちろんである。
【０００８】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（トランスフルトリン：以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（メトフルトリン：以後、化合物Ｈと称す）、及び４−メトキシメチル−２，３，５，６−テトラフルオロベンジル−２，２−ジメチル−３−（２−クロロ−２−トリフルオロメチルビニル）シクロプロパンカルボキシレート（以後、化合物Ｉと称す）をあげることができる。
【０００９】
本発明では、薬液中の殺虫成分濃度は、０．２〜２．０重量％の範囲に設定される。０．２重量％未満であると当然のことながら殺虫効力が不足し、一方２．０重量％を超えると殺虫成分の蒸散性能を安定化させるのが難しくなる傾向がある。
【００１０】
本発明の加熱蒸散装置に供される薬液は、水性薬液であっても、油性薬液であってもよいが、引火性の問題を解消できる点で水性薬液が好ましい。
水性薬液は、殺虫成分を０．２〜２．０重量％、１００〜１８０℃の加熱温度で蒸散する界面活性剤を１０〜８０重量％、好ましくは４５〜７０重量％、及び水を１８〜８８重量％、好ましくは２８〜５３重量％含有してなり、可溶化状を呈するものが適している。界面活性剤としては、非イオン型のものが好ましく、例えば、ポリオキシアルキレンアルキルエーテル、ポリオキシエチレン脂肪酸エステル、多価アルコール脂肪酸部分エステル、多価アルコール部分エーテル、ポリオキシエチレンポリオキシプロピレングリコール、ヘキサンジオールやペンタンジオールなどのアルカンジオールなどをあげることができる。
特に好ましい具体例を示せば、ジエチレングリコールモノプロピルエーテル、ジエチレングリコールモノブチルエーテル、トリエチレングリコールモノプロピルエーテル、トリエチレングリコールモノブチルエーテルがあげられる。
【００１１】
一方、油性薬液は、殺虫成分０．２〜２．０重量％を、沸点温度（９５重量％留出温度）範囲が２４０〜３００℃の灯油９７重量％以上に溶解したものである。特開２００３−８１７２０号公報によれば、沸点温度（９５重量％留出温度）が３００℃を超えるナフテン系炭化水素を配合することによって、例えば、殺虫成分・メトフルトリンの蒸散性を抑えることが可能となる。しかしながら、本発明は、より安全性の高い灯油成分の使用を優先し、ナフテン系炭化水素を配合せずに蒸散調整をなしえる手段を目指したものである。
沸点温度（９５重量％留出温度）範囲が２４０〜３００℃の灯油としては、例えば、ノルマルパラフィンとして、日本石油化学株式会社製のソルベントＨ、中央化成株式会社製のデオトミゾールＳならびにネオチオゾールＳ、日鉱石油化学株式会社製のＳＨ−ＮＰを、イソパラフィンとして、エクソン化学株式会社製のアイソパーＶ、出光石油化学株式会社製のＩＰソルベント−２０２８、シェルジャパン株式会社製のシェルゾールＴＭなどを例示できる。
【００１２】
また、本発明で用いる薬液は、本発明の趣旨に支障を来たさない限りにおいて、必要に応じ、フラメトリン、アレスリン、プラレトリン、エムペントリン等の他のピレスロイド剤、有機リン剤、カーバメート剤などの殺虫剤、殺菌剤、殺ダニ剤、忌避剤、消臭剤、芳香剤などを配合して多目的組成物とすることも可能である。
更に、ＢＨＴ、ＢＨＡ、ＤＢＨＱ、ｔ−ブチルカテコールなどのフェノール系安定剤、ベンゾフェノン系、ベンゾトリアゾール系などの紫外線吸収剤を安定化のために添加することもできる。
【００１３】
こうして調製された薬液を、ポリプロピレン、ポリエステル、ポリ塩化ビニールなどのプラスチック製薬液容器に収容し、中栓を介して吸液芯を装填した後、発熱体を備えた本発明の加熱蒸散装置に装着して薬液を加熱蒸散させる。本発明は、発熱体を構成する中空筒状の放熱筒体内壁の高さを８〜１２ｍｍ、かつ表面部の温度を１２０〜１５０℃とし、しかもこの放熱筒体内壁に対向して位置する吸液芯の受熱部先端上方の中空筒状部分の体積が３００ｍｍ3〜８００ｍｍ3になるようにしたことに特徴を有する。
すなわち、本発明で用いる一般式（Ｉ）のフッ素置換ベンジルアルコールエステル化合物に対しては、受熱部先端上方に体積が３００ｍｍ3〜８００ｍｍ3の中空筒状部分を形成させることによって、殺虫成分の蒸散効率が向上、安定し、３０日以上の長期間にわたり、一定の蒸散性能と殺虫効力を保持しえることを見出したものである。
ｄ−Ｔ８０−フラメトリンやｄ，ｄ−Ｔ８０−プラレトリンの場合、実用新案登録公報第２５５４７１１号に示されているように、蒸散性能の調整は、放熱筒体内壁の高さに対する吸液芯の受熱部の長さを特定して可能となったが、本発明では、受熱部先端上方に形成される中空筒状部分の体積が蒸散性能により大きな影響を及ぼすことが認められた。これは、一般式（Ｉ）のフッ素置換ベンジルアルコールエステル化合物の物性が、ｄ−Ｔ８０−フラメトリンやｄ，ｄ−Ｔ８０−プラレトリンと非常に異なるためと推測される。
【００１４】
本発明で用いる吸液芯の材質、形状は何ら制限を受けるものでなく、クレー、タルク、パーライト、珪藻土等の無機質材料を糊剤で固め、あるいは更にこれを焼成した粘結型吸液芯の外、フェルト、綿、多孔質セラミックス、多孔質蒸散層からなり、好ましくはその周囲をガラス、無機繊維、プラスチック等の保持材で被覆したものなどがあげられる。そして、本発明によれば、前記粘結型吸液芯において、薬液容器のキャップ取り外しや薬液容器の発熱体への装着時に、吸液芯がキャップや放熱筒体に触れる機会が減少し、折れを防止できるというメリットが付与される。なお、吸液芯に、色素、防腐剤、４，４−メチレンビス（２−メチル−６−ｔ−ブチルフェノール）、ステアリル−β−（３，５−ジ−ｔ−ブチル−４−ヒドロキシフェニル）プロピオネート等の酸化防止剤を適宜添加してもよい。
【００１５】
発熱体の放熱筒体内壁については、従来の加熱蒸散装置の仕様に準じて、その高さは８〜１２ｍｍ、かつ表面部の温度は１２０〜１５０℃に設定される。一般式（Ｉ）のフッ素置換ベンジルアルコールエステル化合物に適合させるため、１２０℃未満に設計することも可能であるが、従来のリキッドとの互換性が失われるので、この方式は採用しない。
また、放熱筒体内壁と吸液芯受熱部との間隙は、受熱部先端上方に形成される中空筒状部分の体積と密接に関連し、１．２〜１．７ｍｍが好ましいことが認められた。
【００１６】
本発明の加熱蒸散装置は、前記構成に加え、従来の装置に準じて種々の機能や部材が付設されうる。発熱体の上部には安全上保護キャップが載置され、その中央部に開口部が形成されるが、その大きさ、形状は蒸散薬液が過度に保護キャップや器体に凝縮、付着しない限りにおいて任意である。例えば、内径１０〜３０ｍｍの円筒状蒸散筒を開口部付近から垂下させることは有効であり、この場合、蒸散筒部分の耐熱性や蒸散性能の面から、蒸散筒下端と発熱体上面との距離は通常１〜５ｍｍの範囲内が好ましい。
また、発熱体と接続する電源コード、オンオフ操作スイッチ、パイロットランプなどが適宜付設されてもよいことはもちろんである。
【００１７】
かかる本発明の加熱蒸散装置を用いて防除しえる害虫としては、各種の有害昆虫、ダニ類等をあげることができ、特に有害飛翔性昆虫、すなわち、アカイエカ、コガタアカイエカ、ネッタイイエカ、チカイエカ等のイエカ類、ネッタイシマカ、ヒトスジシマカ等のヤブカ類、ユスリカ類、イエバエ類、チョウバエ類、ノミバエ類、アブ類、ブユ類、ヌカカ類などがあげられる。
【００１８】
次に、具体的実施例に基づいて、本発明の加熱蒸散装置を更に詳細に説明するが、本発明はこれに限定されるものではない。
【実施例１】
【００１９】
本発明の加熱蒸散装置の一実施例を図１に示す。
図中、薬液容器１は薬液２を収容し、その薬液注入口部において、吸液芯３が中栓４を介して略密栓状に保持されている。加熱蒸散装置には、リング状（あるいは一対の半環状）の発熱体５が固定され、その内側に中空筒状の放熱筒体内壁６（内径：１０ｍｍ、高さ：１１ｍｍ、表面温度：１３５℃）を構成する。また、上方には開口部７と円筒状の蒸散筒８が設けられ、発熱体５に接続して電源コード９やオンオフ操作スイッチ１０が付設されている。そして、薬液容器１を加熱蒸散装置に装着すると、吸液芯３の先端受熱部が間隙をもって放熱筒体内壁６と対向し、その上方に中空筒状部１１を形成する。
図示するものは、本発明の加熱蒸散装置の好適な一例であるが、これに限らず各種形状の装置を使用できることは言うまでもない。
【００２０】
化合物Ｈを０．５重量％、ジエチレングリコールモノブチルエーテルを７０重量％、安定剤としてのＢＨＴを０．２重量％、及び精製水を含有する６０日用の水性薬液（２）４５ｍＬを内容積５０ｍＬのプラスチック製薬液容器１に収容し、中栓４を介して吸液芯３を装填した。なお、吸液芯３としては、タルク粉４３重量部、生コークス粉３０重量部、木粉６重量部、クレー１９重量部、澱粉２重量部からなる粉体に水を加え混練、加圧押出し、風乾後、１０００℃で焼成したもの（直径７ｍｍ、長さ６４ｍｍの丸棒）を用いた。
薬液容器１を加熱蒸散装置に取り付けるにあたり、吸液芯３は物理的に折れる心配がなく、吸液芯３と放熱筒体内壁６の間隙は１．５ｍｍで、中空筒状部１１の体積は４７０ｍｍ3であった。
この加熱蒸散装置を６畳の部屋の中央に置き通電使用したところ、６０日間（約７００時間）にわたり安定した蒸散性能を示し、蚊に刺されることはなかった。
【実施例２】
【００２１】
実施例１に準じて表１に示す６０日用の各種加熱蒸散装置を調製した。なお、表中、下記の略号を用いた。
・界面活性剤：Ａａ；ジエチレングリコールモノブチルエーテル
Ａｂ；トリエチレングリコールモノプロピルエーテル
Ａｃ；グリセロールジアセテート（ジアセチン）
・ノルマルパラフィン：Ｂａ；デオトミゾールＳ（中央化成株式会社製）、
Ｂｂ；ソルベントＨ（日本石油化学株式会社製）
・イソパラフィン：Ｃａ；アイソパーＶ（エクソン化学株式会社製）、
Ｃｂ；ＩＰソルベント−２０２８（出光石油化学株式会社製）、
・ナフテン系炭化水素：
Ｄａ；日石ナフテゾールＨ（日本石油化学株式会社製）、
・吸液芯    ：  ［I］；タルク粉４３重量部、生コークス粉３０重量部、木粉６重量部、クレー１９重量部、澱粉２重量部からなる粉体に水を加え混練、加圧押出し、風乾後、１０００℃で焼成したもの（直径７ｍｍの丸棒）
[II]；パーライト６０重量部及び木粉２０重量部に澱粉２０重量部と水を加え練合後、押出し成形乾燥したもの（形状は[I]に同じ）。
【００２２】
【表１】
2005095107.tif 000005
【００２３】
表１の各種加熱蒸散装置を用いて以下の試験を実施した。その結果を表２に示す。
（１）蒸散性能：使用開始直後、使用３００時間後及び使用７００時間後に、シリカゲル充填剤カラムで空気をトラップし、アセトンで殺虫成分を抽出後、ガスクロマトグラフィで分析した。結果を１時間あたりの殺虫成分の蒸散量（ｍｇ／ｈ）で示した。
（２）殺虫効力：使用開始直後、使用３００時間後及び使用７００時間後に、連続通気法により蚊成虫に対するノックダウン効果を調べた。ｄ，ｄ−Ｔ８０−プラレトリンを１．７２重量％含有する市販の油性リキッド（６０日用）の使用開始直後の殺虫効力を１．００として相対有効比で示した。
［連続通気法］
内径２０ｃｍ、高さ４３ｃｍのプラスチック製円筒を２段に重ね、その上に１６メツシュの金網で上下に仕切った内径及び高さが共に２０ｃｍの円筒（供試蚊を入れる場所）を載せ、更に内径２０ｃｍ、高さ２０ｃｍの円筒を載せる。この４段重ねの円筒を台に載せ、台の中央に加熱蒸散器を置いて薬液を揮散させる。上から２段目の円筒に供試蚊約２０匹を放ち、時間の経過に伴う該供試蚊の仰転数を観察する。暴露２０分後に全供試蚊を清潔なポリエチレン容器に移し、３％砂糖水を与え、保存２４時間後に死虫率を調べる。        
【００２４】
【表２】
2005095107.tif 000006
【００２５】
試験の結果、本発明の加熱蒸散装置は、およそ６０日間の長期にわたり安定した蒸散性能と優れた殺虫効力を示し、吸液芯の折れに対する危惧を格段に低減させた。なお、本発明２や本発明６のように、吸液芯と放熱筒体内壁の間隙が１．７ｍｍを超えると蒸散の安定性が若干劣る傾向が認められるので、１．２〜１．７ｍｍの範囲に設計するのが好ましい。
これに対し、比較例１の如く、中空筒状部分の体積が３００ｍｍ3より小さいと初期の殺虫成分蒸散量が過大となって殺虫効力が持続せず、一方８００ｍｍ3を超えた場合（比較例２）、殺虫成分を蒸散させるエネルギーが不足した。放熱筒体内壁の表面温度につき評価した場合（比較例３及び４）も同様で、１２０〜１５０℃の温度範囲をはずれると不適であった。
更に、本発明５及び６と比較例１の対比から、本発明で用いる一般式（Ｉ）のフッ素置換ベンジルアルコールエステル化合物においては、「中空筒状部分の体積」が蒸散性能を大きく左右し、一方、比較例５及び６の対比から、ｄ−Ｔ８０−フラメトリンについては「吸液芯受熱部の高さの放熱筒体内壁の高さに対する倍率」が「中空筒状部分の体積」よりも重要なファクターであることが認められた。従って、本発明は、実用新案登録公報第２５５４７１１号に記載の知見から容易に導き得ないものである。
なお、比較例７のように、薬液組成を変更して対応することも可能であるが、高沸点溶剤を配合する必要があること、また吸液芯の折れの問題が未解決であることから、本発明の目的に合致しない。
【産業上の利用可能性】
【００２６】
本発明の加熱蒸散装置は、新しい殺虫成分を活用し、優れた蒸散性能と殺虫効力を奏するとともに、吸液芯が折れにくい構成の加熱蒸散装置を提供するので、産業上の有用性は極めて高い。
【図面の簡単な説明】
【００２７】
【図１】本発明の加熱蒸散装置の一実施例を示す。
【符号の説明】
【００２８】
１．薬液容器
２．薬液
３．吸液芯
４．中栓
５．発熱体
６．放熱筒体内壁
７．開口部
８．蒸散筒
９．電源コード
１０．オンオフ操作スイッチ
１１．中空筒状部
【図１】
2005095107.tif 000009